(57)【要約】      （修正有）【課題】２種類以上の散布剤を選択的に湯水に溶け込ませて散布できるシャワーヘッド装置を提供する。【解決手段】湯水の流入部３および吐出部４を有するシャワーヘッド本体２内に、それぞれ流入部３および吐出部４に連なる互いに並列な３以上の独立通路３５、３６、３７が形成される。独立通路３５、３６に対して、投入口３８あるいは３９より、散布剤が投入可能とされる。シャワーヘッド本体２に、マニュアル操作されて、湯水が流入される一部の独立通路を選択するための切換部材２１が設けられる。散布剤が投入される独立通路３５、３６には、吐出部側４からの湯水の逆流を防止する逆止弁４３が設けられる。【選択図】図２
0003183630.tif 000002
【実用新案登録請求の範囲】
【請求項１】
湯水の流入部および吐出部を有するシャワーヘッド本体内に、それぞれ前記流入部および吐出部に連なる互いに並列な３以上となる複数の独立通路が形成され、
前記シャワーヘッド本体に、前記複数の独立通路のうち少なくとも２以上の特定の独立通路に対して湯水に溶けこませるための散布剤を投入するための開閉式の投入部が設けられ、
前記シャワーヘッド本体に、マニュアル操作されて、前記各独立通路のうち湯水が流入される一部の独立通路を選択するための切換部材が設けられ、
前記特定の独立通路のそれぞれに、前記吐出部側から該特定の独立通路側への湯水の逆流を防止する逆止弁が設けられている、
ことを特徴とするシャワーヘッド装置。
【請求項２】
請求項１において、
前記切換部材が、前記流入部に常時連なる通過口を有する回転式とされ、
前記複数の独立通路が、前記切換部材の回転中心回りに区画形成され、
前記切換部材の回転に応じて該通過口が連通される独立通路が切換えられる、
ことを特徴とするシャワーヘッド装置。
【請求項３】
請求項２において、
前記切換部材に、前記通過口が２個形成され、
前記切換部材の回転に応じて、前記２つの連通口が１つの独立通路に連通した状態と、該２つの連通口のうち一方の連通口が１つの独立通路に連通されると共に、他方の連通口が別の１つの独立通路に連通された状態をとり得るようにされている、
ことを特徴とするシャワーヘッド装置。
【請求項４】
請求項２または請求項３において、
前記シャワーヘッド本体が、互いに別体に形成された前記流入部側となる第１部材と前記吐出部側となる第２部材とを有し、
前記切換部材が、前記第１部材と第２部材との間に位置され、
前記第１部材と前記第２部材とに跨る支持軸に、前記切換部材が回転自在に嵌合、保持され、
前記独立通路が、前記第２部材内において、前記支持軸回りに等角度間隔でもって形成されている、
ことを特徴とするシャワーヘッド装置。
【請求項５】
請求項２ないし請求項４のいずれか１項において、
前記シャワーヘッド本体の外面に、前記切換部材の回転位置を示して湯水が流入される独立通路を示すための指標が形成されている、ことを特徴とするシャワーヘッド装置。
【請求項６】
請求項２ないし請求項５のいずれか１項において、
前記切換部材に、湯水が流入されない独立通路内を外部に開放して内部の湯水を外部に排出するための排出口が形成されている、ことを特徴とするシャワーヘッド装置。
【請求項７】
請求項２ないし請求項６のいずれか１項において、
前記特定の独立通路に対して別個に投入される散布剤が、重炭酸イオン発生剤とリンス剤とされている、ことを特徴とするシャワーヘッド装置。
【請求項８】
請求項１において、
前記独立通路として、互いに直列配置された第１組となる２つの第１独立通路と、互いに直列配置された第２組となる２つの第２独立通路との合計４個設けられ、
前記切換部材として、それぞれ前記シャワーヘッド本体にスライド可能に保持された往復動式の第１切換部材と第２切換部材との２個設けられ、
前記第１切換部材のスライド動作に応じて、前記２つの第１独立通路のうち任意の一方にのみ湯水が流入されるようにされ、
前記第２切換部材のスライド動作に応じて、前記２つの第２独立通路のうち任意の一方にのみ湯水が流入されるようにされ、
前記第１組の独立通路のうち少なくとも一方が前記特定の独立通路とされ、
前記第２組の独立通路のうち少なくとも一方が前記特定の独立通路とされ、
前記４つの独立通路のうち少なくとも１つの独立通路が散布剤の投入が行われない湯水通過用とされている、
ことを特徴とするシャワーヘッド装置。
【請求項９】
請求項８において、
前記第１切換部材に、前記２つの第１独立通路のうち湯水が流入されない第１独立通路内を外部に解放して内部の湯水を外部に排出するための第１排出口が形成され、
前記第２切換部材に、前記２つの第２独立通路のうち湯水が流入されない第２独立通路内を外部に解放して内部の湯水を外部に排出するための第２排出口が形成されている、
ことを特徴とするシャワーヘッド装置。
【請求項１０】
請求項８または請求項９において、
前記第１切換部材は、前記２つの第１独立通路のうちいずれか一方に湯水を選択的に通過させる状態の他に、該２つの第１独立通路のいずれにも湯水の通過を阻止する閉位置をとり得るようにされ、
前記第２切換部材は、前記２つの第２独立通路のうちいずれか一方に湯水を選択的に通過させる状態の他に、該２つの第２独立通路のいずれにも湯水の通過を阻止する閉位置をとり得るようにされている、
ことを特徴とするシャワーヘッド装置。
【請求項１１】
請求項１ないし請求項１０のいずれか１項において、
前記特定の独立通路として少なくとも３個有し、
前記特定の独立通路に対して別個に投入される散布剤が、重炭酸イオン発生剤とリンス剤とコンディショナー剤とされている、
ことを特徴とするシャワーヘッド装置。
【請求項１２】
請求項１において、
前記特定の独立通路が２つ設けられ
前記切換部材が、前記シャワーヘッド本体に対してスライド可能に保持された往復動式とされ、
前記切換部材が前記流入部に常時連なる連通口を有して、該切換部材のスライド位置の変更に応じて、前記２つの特定の独立通路のうち該連通口が連通される特定の独立通路の切換えが行われ、
前記特定の独立通路に対して別個に投入される散布剤が、重炭酸イオン発生剤とリンス剤とされている、
ことを特徴とするシャワーヘッド装置。
【考案の詳細な説明】
【技術分野】
【０００１】
本考案は、湯水と共に複数種の毛髪剤等の散布剤を選択的に散布できるようにしたシャワーヘッド装置に関するものである。
【背景技術】
【０００２】
頭髪の手入れのために、一般的に、シャンプーによる洗浄を行った後にリンスを施すことが行われており、必要に応じて、コンディショナーをさらに施すことも行われている。この場合、シャワーヘッドから吐出される湯水によって、シャンプー、リンス、コンディショナーが洗い流されることになる。
【０００３】
特許文献１、特許文献２、特許文献３には、シャワーヘッド本体内を違いに並列な２つの独立通路に区画して、一方の独立通路内に浴用剤や芳香剤等を収納して、切換部材によって湯水が流入される独立通路を任意に選択できるようにしたものが開示されている。
【先行技術文献】
【特許文献】
【０００４】
【特許文献１】特開２０００−７９３５７号公報
【特許文献２】実開平３−３７９８４号公報
【特許文献３】実開昭６１−９５４５４号公報
【考案の概要】
【考案が解決しようとする課題】
【０００５】
ところで、例えば洗浄を含む頭髪の手入れに際しては、前述のように、シャンプー、リンス、コンディショナーを用いる等、複数種使用されることが多いものである。この一方、前述した各特許文献に記載のものでは、湯水のみの散布以外に、１種類の散布剤のみしか散布できないものであり、改善の余地がある。
【０００６】
また、頭髪の洗浄に際して当初に用いられるシャンプーは、埃等の汚れや皮脂分を除去するには好適であるものの、頭髪表面に付着している微量の重金属等は除去できないものである。すなわち、人間の体内に摂取された重金属等が頭髪を通して排出されることになるが、この重金属等としては、銀、アルミニウム、亜鉛、マンガン、スズ、銅、マグネシウム、カルシウム等各種存在する。そして、重金属等が頭髪の表面に付着していると、その後のリンスやコンディショナーの乗りが悪く、頭髪に十分な栄養や艶を与えることが難しいものとなる。このため、例えば、散布剤として、湯水に溶解されたときに重炭酸イオンを発生するものを用いることにより、プラスに帯電している重金属等を、マイナスに帯電している重炭酸イオンと結合させて、頭髪表面から重金属を除去することが可能となり、その後のリンス等の効果を高めることが可能となる。
【０００７】
このように、洗浄等を含む頭髪の手入れに用いる散布剤の種類が多くなる傾向があり、このため、散布剤を湯水に溶かして散布するようにしたシャワーヘッドにおいても、より多くの種類の散布剤を選択的に湯水に溶け込ませることができるものが望まれることになる。
【０００８】
本考案は以上のような事情を勘案してなされたもので、その目的は、２種類以上の散布剤を選択的に湯水に溶け込ませて散布できるようにしたシャワーヘッド装置を提供することにある。
【課題を解決するための手段】
【０００９】
前記目的を達成するため、本発明にあっては次のような解決手法を採択してある。すなわち、請求項１に記載のように、
湯水の流入部および吐出部を有するシャワーヘッド本体内に、それぞれ前記流入部および吐出部に連なる互いに並列な３以上となる複数の独立通路が形成され、
前記シャワーヘッド本体に、前記複数の独立通路のうち少なくとも２以上の特定の独立通路に対して湯水に溶けこませるための散布剤を投入するための開閉式の投入部が設けられ、
前記シャワーヘッド本体に、マニュアル操作されて、前記各独立通路のうち湯水が流入される一部の独立通路を選択するための切換部材が設けられ、
前記特定の独立通路のそれぞれに、前記吐出部側から該特定の独立通路側への湯水の逆流を防止する逆止弁が設けられている、
ようにしてある。上記解決手法によれば、２種以上の散布剤を選択的に散布することが可能となる。
【００１０】
前記切換部材が、前記流入部に常時連なる通過口を有する回転式とされ、
前記複数の独立通路が、前記切換部材の回転中心回りに区画形成され、
前記切換部材の回転に応じて該通過口が連通される独立通路が切換えられる、
ようにしてある（請求項２対応）。この場合、切換部材を回転式とすることにより、往復動されるスライド式とされる場合に比して、シャワーヘッド本体から突出する部分を無くしてあるいは小さくして、シャワーヘッド本体の外観上の見栄え向上等の上で好ましいものとなる。また、切換部材回転中心回りに付すの独立通路が区画されるので、独立通路の数を多く設定する場合にも容易に対応できる。
【００１１】
前記切換部材に、前記通過口が２個形成され、
前記切換部材の回転に応じて、前記２つの連通口が１つの独立通路に連通した状態と、該２つの連通口のうち一方の連通口が１つの独立通路に連通されると共に、他方の連通口が別の１つの独立通路に連通された状態をとり得るようにされている、
ようにしてある（請求項３対応）。この場合、湯水が２つの独立通路を流れる状態を確保して、散布剤の濃度変更をも行うことが可能になる。
【００１２】
前記シャワーヘッド本体が、互いに別体に形成された前記流入部側となる第１部材と前記吐出部側となる第２部材とを有し、
前記切換部材が、前記第１部材と第２部材との間に位置され、
前記第１部材と前記第２部材とに跨る支持軸に、前記切換部材が回転自在に嵌合、保持され、
前記独立通路が、前記第２部材内において、前記支持軸回りに等角度間隔でもって形成されている、
ようにしてある（請求項４対応）。この場合、切換部材を回転式とする場合に好適な構造が提供される。特に、支持軸を設けることにより、切換部材を円滑に回転操作する等の上で好ましいものとなる。
【００１３】
前記シャワーヘッド本体の外面に、前記切換部材の回転位置を示して湯水が流入される独立通路を示すための指標が形成されている、ようにしてある（請求項５対応）。この場合、指標を利用して、湯水が流れる独立通路を即座に判断することができる。
【００１４】
前記切換部材に、湯水が流入されない独立通路内を外部に開放して内部の湯水を外部に排出するための排出口が形成されている、ようにしてある（請求項６対応）。この場合、散布剤が投入される特定の独立通路に対して湯水が供給されないときに、その内部の湯水を外部に排出して、散布剤が大きく溶解してしまうことを防止する等の上で好ましいものとなる。
【００１５】
前記特定の独立通路に対して別個に投入される散布剤が、重炭酸イオン発生剤とリンス剤とされている、ようにしてある（請求項７対応）。この場合、頭髪洗浄後のリンス効果を極めて十分に発揮させる上で好ましいものとなる。
【００１６】
前記独立通路として、互いに直列配置された第１組となる２つの第１独立通路と、互いに直列配置された第２組となる２つの第２独立通路との合計４個設けられ、
前記切換部材として、それぞれ前記シャワーヘッド本体にスライド可能に保持された往復動式の第１切換部材と第２切換部材との２個設けられ、
前記第１切換部材のスライド動作に応じて、前記２つの第１独立通路のうち任意の一方にのみ湯水が流入されるようにされ、
前記第２切換部材のスライド動作に応じて、前記２つの第２独立通路のうち任意の一方にのみ湯水が流入されるようにされ、
前記第１組の独立通路のうち少なくとも一方が前記特定の独立通路とされ、
前記第２組の独立通路のうち少なくとも一方が前記特定の独立通路とされ、
前記４つの独立通路のうち少なくとも１つの独立通路が散布剤の投入が行われない湯水通過用とされている、
ようにしてある（請求項８対応）。この場合、切換部材を往復動式としつつ、請求項１に対応した効果を得ることができる。
【００１７】
前記第１切換部材に、前記２つの第１独立通路のうち湯水が流入されない第１独立通路内を外部に解放して内部の湯水を外部に排出するための第１排出口が形成され、
前記第２切換部材に、前記２つの第２独立通路のうち湯水が流入されない第２独立通路内を外部に解放して内部の湯水を外部に排出するための第２排出口が形成されている、
ようにしてある（請求項９対応）。この場合、請求項６に対応した効果と同様の効果を得ることができる。
【００１８】
前記第１切換部材は、前記２つの第１独立通路のうちいずれか一方に湯水を選択的に通過させる状態の他に、該２つの第１独立通路のいずれにも湯水の通過を阻止する閉位置をとり得るようにされ、
前記第２切換部材は、前記２つの第２独立通路のうちいずれか一方に湯水を選択的に通過させる状態の他に、該２つの第２独立通路のいずれにも湯水の通過を阻止する閉位置をとり得るようにされている、
ようにしてある（請求項１０対応）。この場合、切換部材を３ポジション式として、湯水通過状態の選択態様をよりきめ細かく変更する等の上で好ましいものとなる。
【００１９】
前記特定の独立通路として少なくとも３個有し、
前記特定の独立通路に対して別個に投入される散布剤が、重炭酸イオン発生剤とリンス剤とコンディショナー剤とされている、
ようにしてある（請求項１１対応）。この場合、頭髪洗浄後のリンス効果およびコンディショナー効果を極めて十分に発揮させる上で好ましいものとなる。
【００２０】
前記特定の独立通路が２つ設けられ
前記切換部材が、前記シャワーヘッド本体に対してスライド可能に保持された往復動式とされ、
前記切換部材が前記流入部に常時連なる連通口を有して、該切換部材のスライド位置の変更に応じて、前記２つの特定の独立通路のうち該連通口が連通される特定の独立通路の切換えが行われ、
前記特定の独立通路に対して別個に投入される散布剤が、重炭酸イオン発生剤とリンス剤とされている、
ようにしてある（請求項１２対応）。この場合、切換部材をスライド式としつつ、請求項７に対応した効果と同様の効果を得ることができる。
【考案の効果】
【００２１】
本考案によれば、２種類以上の散布剤を選択的に湯水に溶け込ませて散布できるようにしたシャワーヘッド装置を提供することができる。
【図面の簡単な説明】
【００２２】
【図１】本考案が適用されたシャワーヘッド装置の一例を示す斜視図。
【図２】図１に示すシャワーヘッド装置の分解斜視図。
【図３】回転操作される第２部分の平面図。
【図４】複数の独立通路に仕切られた第３部分を第２部分に重ねた状態の平面図。
【図５】逆止弁部分を示す側面断面図で、第２部分と第３部分とを周方向にずらした状態での断面図。
【図６】指針と指標との関係を示す周方向展開図。
【図７】本考案の第２の実施形態を示す正面図。
【図８】図７の側面断面図。
【図９】切換部材が一方ストローク端にあるときの独立通路への湯水の流れを示す側面断面図。
【図１０】切換部材が他方ストローク端にあるときの独立通路への湯水の流れを示す側面断面図。
【図１１】２つの切換部材と４つの独立通路の配置関係を示す簡略平面断面図。
【図１２】本考案の第３の実施形態を示す要部簡略断面図。
【考案を実施するための形態】
【００２３】
図１においてシャワーヘッド１は、使用者によって把持される筒状の本体２の一端部が、湯水供給用のホース（図示略）に接続される流入部３とされ、その他端部が湯水の吐出部４とされている。なお、吐出部４は、実施形態では多数の小孔が開口されて湯水を多数の糸筋状に散布する形状（構造）とされているが、太い１本の筋状に散布する場合、さらにはその切換えができるようにしたもの等、適宜の構造を採択できる。
【００２４】
シャワーヘッド本体２は、分解図となる図２に示すように、その流入部３側から吐出部４側に向けて順次、第１部分１１、第２部分２１、第３部分３１、第４部分４１、第５部分５１の分割構成とされて、これらを後述するように組立てることにより、図１のような外観形状とされる。
【００２５】
第１部分１１は、第１部材となるもので、筒状とされて、その下端部が流入部３とされている。また、第１部分１１の上面は、円形状の隔壁１２を有して、この隔壁１２の中心部から支持軸１３が上方へ向けて延設されている。支持軸１３は、上端が閉じられた中空状とされている。そして、隔壁１２には、支持軸１３を中心として周方向等角度間隔（実施形態では６０度間隔）に、合計６個の連通口１４が形成されている。各連通口１４は、流入部３に対して常時連通されている。
【００２６】
第２部分２１は、切換部材となるもので、円盤状とされて、その中心部に軸孔２２が形成されている。そして、軸孔２２内に前記支持軸１３を嵌合させることにより、第２部分２１は、第１部分１１に対して回転自在に保持される。この第２部分２１には、軸孔２２を中心として、周方向に間隔をあけて２つの通過口２３と、２つの排出口２４とが形成されている。２つの排出口２４は、共通排出口２５を介して外部に開口されている。
【００２７】
２つの通過口２３同士は６０度間隔とされ、２つの排出口２４同士は６０度間隔とされている。そして、隣り合う通過口２３と排出口２４とは１２０度間隔とされている。第２部分２１を支持軸１３に嵌合させた状態で、その回転に応じて、２つの通過口２３が隣り合う２つの連通口１４に整合（連通）される。
【００２８】
第３部分３１は、外筒部３２と、外筒部３２と同心の内筒部３３と、両筒部３２と３３とを連結する３つの隔壁部３４とを有する。内筒部３３は、前記支持軸１３にがたつきなく嵌合されて、支持軸１３の上端部に一体化される（例えば接着）。第３部分３１を支持軸１３の上端部に一体化した状態で、第２部分２１が、第１部分１１と第３部分３１とに対して支持軸１３を中心に回転可能とされる。なお、第２部分２１の上面と下面とには円環状のシール部材が装備されて、各部分１１と２１との間および２１と３１との間から湯水もれが生じないようにされている。３つの隔壁３４は、内筒部３３を中心にして１２０度間隔に配置されて、第３部材３１内（外筒部３２と内筒部３３との間の空間）を、３つの独立通路３５、３６、３７に区画している。
【００２９】
外筒部３２には、２つの独立通路３５、３６に対応して、２つの投入口３８、３９が形成されている。この投入口は、開閉式とされて、独立通路３５、３６内に散布剤Ｓ１、Ｓ２（図４、図５参照）を投入（充填）するために用いられる。なお、投入口３８、３９は、簡略化して示してあるが、実際には、例えばフラップ式の蓋部材やねじ式の蓋部材を有して、施蓋したときに湯水が漏れ出ないようにされている。
【００３０】
第４部分４１は、薄い円板状とされて、第３部分３１上に着座、固定される。この固定に際して、第４部分４１の下面中央部が、前記支持軸１３の上面にも固定（例えば接着）されている。第４部分４１には、その中心を中心にして６０度間隔で、合計６個の流出口４２が形成され、各流出口４２にはそれぞれ、逆止弁４３が装備されている（図５参照）。各流出口４２は、第１部分１１に形成された連通口１４に対応した位置に形成されている（各独立通路３５、３６、３７に対して２つづつの流出口４２が位置されている）。
【００３１】
第５部分５１は、エルボ状に曲がった筒状とされて、その一端部が第４部分４１（の外周縁部）に固定され、その他端部が、多数の小孔が開口された吐出部４とされている。
【００３２】
図４、図５において、独立通路３５に投入された散布剤が符合Ｓ１で示され、独立通路３７に投入された散布剤が符合Ｓ２で示される。散布剤Ｓ１、Ｓ２はそれぞれ例えば直方体形状や錠剤形状等の固形状とされている。散布剤Ｓ１は、シャンプー助剤となるもので、実施形態では、湯水に溶けたときに重炭酸イオンを発生するものとされている（例えば、重曹とクエン酸とを組み合わせがもので、株式会社ホットアルバム炭酸泉タブレットの商品名スパークリングホットタブ）。また、散布剤Ｓ２は、リンス剤とされている。なお、散布剤Ｓ１、Ｓ２が投入される独立通路３５、３６内には、散布剤Ｓ１あるいはＳ２を保持する多数の小孔を有する保持板６が固定配置されている。
【００３３】
図４の状態において、第２部材２１の通過口２３がそれぞれ独立通路３７に連通され、２つの排出口２４の一方が独立通路３６に連通されると共に他方の排出口２４が独立通路３５に連通された状態が示される。この図４の状態では、流入部３からの湯水は、独立通路３７のみを通って、独立通路３５、３６を通らないものとなる。つまり、突出部４からは純粋に湯水のみが吐出されることになる。このとき、散布剤Ｓ１あるいはＳ２が投入されている独立通路３５、３６は、排出口２４を通して外部に開放されているので、その内部の湯水は排出口２４、２５を通して外部へ排出されることになる。排出口２４、２５は、大きい開口面積を有して、空気との入れ替えもスムーズに行われて、湯水の排出をすみやかにかつ確実に行えるようになっている。なお、逆止弁４３の作用により、独立通路３７を通った後の湯水が独立通路３５、３６へ逆流してしまう事態が防止される。
【００３４】
図４の状態から、切換部材としての第２部材２１を６０度だけ、図４時計方向に回転させた場合は、２つの通過口２３の一方が独立通路３７に連通され、他方が独立通路３５に連通される。また同時に、２つの排出口がそれぞれ独立通路３６に連通される。これにより、湯水は、独立通路３７と３５を通って、吐出部４へと流れることになる。この場合、散布剤Ｓ１が湯水中に溶け出して、炭酸および重炭酸イオンを含む湯水が吐出部４から吐出されることになる。炭酸（炭酸ガス）により頭皮の血行促進等になり、また重炭酸イオンにより頭髪に付着している重金属が効果的に除去されることになる。なお、湯水は、独立通路３５のみならず３７をも通過するので、湯水が独立通路３５のみを通過する場合に比して、重炭酸イオンの濃度が相対的に低いものとなる。
【００３５】
図４の状態から、切換部材としての第２部材２１を１２０度だけ、図４時計方向に回転させた場合は、２つの通過口２３がそれぞれ独立通路３５に連通される。また同時に、２つの排出口の一方が独立通路３６に連通し、他方が独立通路３７に連通される。これにより、湯水は、独立通路３５を通ってのみ、吐出部４へと流れることになる。この場合、散布剤Ｓ１が湯水中に溶け出して、重炭酸イオンを含む湯水が吐出部４から吐出されることになる。また、湯水は、独立通路３５のみを通過するので、湯水が独立通路３７をも通過する場合に比して、重炭酸イオンの濃度が相対的に高いものとなる。
【００３６】
図４の状態から、切換部材としての第２部材２１を１８０度だけ、図４時計方向に回転させた場合は、２つの通過口２３の一方独立通路３５に連通され、他方が独立通路３６に連通される。また同時に、２つの排出口がそれぞれ独立通路３７に連通される。これにより、湯水は、独立通路３５と３６を通って、吐出部４へと流れることになる。この場合、散布剤Ｓ１およびＳ２が湯水中に溶け出して、重炭酸イオンと溶解したリンス剤とを含む湯水が吐出部４から吐出されることになる。なお、第２部分２１のこのような使用位置は、選択しないようにすることもできる。
【００３７】
図４の状態から、切換部材としての第２部材２１を２４０度だけ、図４時計方向に回転させた場合は、２つの通過口２３が独立通路３６に連通される。また同時に、２つの排出口２４の一方が独立通路３５に連通され、他方が独立通路３７に連通される。これにより、湯水は、独立通路３６を通ってのみ、吐出部４へと流れることになる。この場合、散布剤Ｓ２が湯水中に溶け出して、リンス剤が十分に溶解された湯水が吐出部４から吐出されることになる。
【００３８】
図４の状態から、切換部材としての第２部材２１を３００度だけ、図４時計方向に回転させた場合は、２つの通過口２３の一方独立通路３６に連通され、他方が独立通路３７に連通される。また同時に、２つの排出口がそれぞれ独立通路３５に連通される。これにより、湯水は、独立通路３６と３７を通って、吐出部４へと流れることになる。この場合、散布剤Ｓ２が湯水中に溶け出して、湯水が独立通路３６のみを通過する場合に比して相対的にリンス剤の濃度が低くされた状態の湯水が、吐出部４から吐出されることになる。
【００３９】
図６は、第２部分２１の回転位置と吐出される湯水がどの独立通路を通過するのかを明確に示すために好ましい設定例が示される。すなわち、図６は、第２部材２１と第３部材３１との外表面を周方向に展開した状態を示していて、第２部材２１の外表面に指針αが付される一方、第３部分３１の外表面に複数の指標βが付されている。複数の指標β同士の間隔は、６０度間隔とされている。使用者は、指針αの指標βに対する位置を確認することによって、吐出部４から吐出される湯水が、純粋に湯水のみなのか、リンス剤が溶解された湯水なのか等を容易に識別することができる。
【００４０】
図７〜図１１は本考案の第２の実施形態を示すものであり、前記実施形態と同一構成要素には同一符合を付してその重複した説明は省略する。本実施形態では、図１１に概略的に示すように、本体部２内を、横断面において、互いに直列な第１組の２つの独立通路６１、６２と、互いに直列な第２組の２つの独立通路７１、７２とに区画されている。第１組の独立通路６１、６２と第２組の独立通路７１、７２とは互いに平行配置されている。
【００４１】
第１組の独立通路６１、６２のうち、６２にのみ散布剤Ｓ１が投入されるようになっている（図９、図１１参照）。第２組の独立通路７１、７２のうち、７２にのみ散布剤Ｓ２が投入されるようになっている（図１１参照）。
【００４２】
図９に示すように、第１組の独立通路６１、６２への湯水の流入の切換が、第１切換部材６３によって行われる。この第１切換部材６３は、独立通路６１、６２の配列方向に沿ってシャワーヘッド本体２にスライド可能に保持されている。第１切換部材６３は、前記流入部３に連通された連通口６４を有する。また、第１切換部材６３の各端部には、排出口６５、６６が形成されている。第１切換部材６３をスライドさせて、連通口６４を独立通路６１に連通させた図９の状態では、湯水は、独立通路６１を通るが、独立通路６２を通らないようにされる。また同時に、独立通路６２は排出口６６を介して外部に開放される。
【００４３】
図９の状態から、第１切換部材３をスライドさせることにより、連通口６４が独立通路６２に連通された図１０に示す状態とされる。このとき、独立通路６１は、排出口６５を介して外部に開放される。
【００４４】
第２組の独立通路７１、７２への湯水の流入の切換が、第２切換部材７３によって行われる。この第２切換部材７３によるスライドに応じた独立通路７１、７２に対する湯水の流入の切換えは、第１組の独立通路６１、６１と第１切換部材６３との場合と全く同様である。
【００４５】
２つの切換部材６３、７３のスライド位置の変更により、湯水の通過経路として少なくとも次の４通りがある。まず、独立通路６１と７１とを湯水が通過する状態で、吐出部４から純粋に湯水のみが吐出される状態とされる。独立通路６１と７２とを湯水が通過する状態で、散布剤Ｓ２が溶解した湯水が吐出部４から吐出される。独立通路７１と６２とを湯水が通過する状態で、散布剤Ｓ１が溶解した湯水が吐出部４から吐出される。なお、独立通路６２と７２とを湯水が通過する状態では、散布剤Ｓ１とＳ２とがそれぞれ溶解した湯水が吐出部４から吐出されることになるが、使用しない状態とすることもできる。
【００４６】
図１２は、本考案の第３の実施形態を示すもので、第２の実施形態の変形例となる。本実施形態では、各切換部材６３、７３を、そのスライド動に応じて３ポジションをとり得るようになっている。すなわち、切換部材６３に着目して説明すると、切換部材６３が中間のポジションとなったときに、連通口６４が閉塞されるようになっている。つまり、連通口６４が独立通路６１に連通された状態（図９対応）と、独立通路６２に連通された状態（図１０対応）の他、独立通路６１、６２のいずれにも連通されない図１１の状態をとり得るようになっている。独立通路７１、７２これに対応した第２切換部材７３においても、図１２と同様にされている。
【００４７】
４つの独立通路６１、６２、７１，７２のうち、例えば６２，７１、７２の３つの独立通路に別個の散布剤を投入して、残る独立通路６１には散布剤の投入なしとする。この場合、湯水が、独立通路６１、６２、７１、７２の任意の１つのみを通過する態様を選択すすることができる。３番目の散布剤としては、例えばコンディショナー剤とすることができる。
【００４８】
以上実施形態について説明したが、本考案は、実施形態に限定されるものではなく、実用新案登録請求の範囲の記載された範囲において適宜の変更が可能であり、例えば次のような場合をも含むものである。図１〜図６の実施形態において、回転部材となる第２部分２１が回転操作しやすくなるように、第２部分２１を隣接する他の部分よりも若干大径としたり周方向に凹凸を設ける等してもよい。独立通路の個数が適宜設定でき、特に図１〜図６の実施形態の場合、周方向の仕切（隔壁）の数を変更することにより、独立通路の数を容易に変更できる。図１〜図６の回転式の実施形態において、通過口２３を１つのみとして、排出口を独立通路の全数よりも１つ少ない数に設定するようにしてもよい。散布剤としては、頭髪の洗浄を含む手入れ用に限らず、例えば石けん等の適宜の浴剤や芳香剤を選択する等、散布剤の種類は限定されないものである。散布剤Ｓ１、Ｓ２は、１回分の使用に応じた容量を有するようにしてもよく、数回分の使用が可能な大きな容量を有するものとしてもよい（例えば美容室、理髪店等での使用）。散布剤は、固形状やゲル状のような自己保形性を有する以外に、流動性を有したり液体状であってもよい。散布剤が投入れる特定の独立通路を３個設けた場合に、別個に投入される散布剤が、重炭酸イオン発生剤とリンス剤とコンディショナー剤とすることができる。
【００４９】
全ての独立通路に散布剤を投入可能としてもよい。複数の独立通路およびその切換部分を、シャワーヘッド本体２の流入部３に接続可能としてもよい（既存のシャワーヘッド本体とホースとの間に介在させるようにしてもよい）。純粋に湯水のみが通過される独立通路に対して逆止弁を設けないようにしてもよい。図７〜図１１の実施形態において、散布剤が投入される特定の独立通路を６１と６２との２つのみとし、独立通路７１、７２は単なる湯水通過用としてもよい（７１と７２とを１本の独立通路としてもよい）。散布剤が投入される独立通路の数としては、４以上であってもよく、また散布剤としてシャンプーを含めるようにしてもよい。全ての独立通路に対して散布剤の投入口を設けるようにしてもよい。独立通路を有する第３部分３１を切換部材として機能させるようにしてもよい（第３部分３１が回転操作されて、第１部分１１が固定される）。勿論、本考案の目的は、明記されたものに限らず、実質的に好ましいあるいは利点として表現されたものを提供することをも暗黙的に含むものである。
【産業上の利用可能性】
【００５０】
本考案は、複数種の散布剤を選択的に散布することができる。
【符号の説明】
【００５１】
１：シャワーヘッド装置
２：シャワーヘッド本体
３：流入部
４：吐出部
１１：第１部分
２１：第２部分
２２：軸孔
２３：通過口
２４：排出口
２５共通排出口
３１：第３部分
３２：外筒部
３３：内筒部
３４：隔壁
３５：独立通路
３６：独立通路
３７：独立通路
４１：第４部分
４２：流出口
４３：逆止弁
５１：第５部分
Ｓ１：散布剤（シャンプー助剤）
Ｓ２：散布剤（リンス剤）
α：指針
β：指標
【図１】
0003183630.tif 000003
【図２】
0003183630.tif 000004
【図３】
0003183630.tif 000005
【図４】
0003183630.tif 000006
【図５】
0003183630.tif 000007
【図６】
0003183630.tif 000008
【図７】
0003183630.tif 000009
【図８】
0003183630.tif 000010
【図９】
0003183630.tif 000011
【図１０】
0003183630.tif 000012
【図１１】
0003183630.tif 000013
【図１２】
0003183630.tif 000014